(57)【特許請求の範囲】
【請求項１】
測定対象物に放射線を放射する放射線源と、
前記放射線源から放射され前記測定対象物を透過した前記放射線を検出し、放射線検出信号を出力する検出部と、
前記検出部によって出力された前記放射線検出信号に基づいて前記測定対象物の厚みを測定する測定部と、
自装置の異常について診断する複数種類の自己診断の少なくともいずれかを実行する自己診断部と、
前記測定部による測定結果と前記自己診断部による自己診断結果を含む測定関係情報を記憶するとともに、複数種類の前記自己診断それぞれに対して、取得するデータの種類と期間とが対応付けられた対応情報を記憶する記憶部と、
前記自己診断部によって前記自己診断が実行された場合に、前記対応情報を参照し、当該自己診断に対応づけられた種類のデータを対応付けられた期間の分だけ前記記憶部に記憶されている前記測定関係情報から取得する取得部と、
前記取得部によって取得されたデータを集約したファイルデータを生成する集約部と、
を備える厚み測定装置。
【請求項２】
情報を表示する表示部に、前記ファイルデータのうちの少なくとも一部のデータを外部記憶装置に保存させるための操作ボタンを表示させる表示制御部を、さらに備える請求項１に記載の厚み測定装置。
【請求項３】
前記表示制御部は、前記ファイルデータのうちの少なくとも一部のデータをユーザ操作に応じて選択し、前記表示部に、選択した前記データ、および、選択した前記データに基づいて生成した２次元コードを表示させる、請求項２に記載の厚み測定装置。
【請求項４】
前記自己診断部が複数種類の前記自己診断を実行する場合に、
前記取得部は、複数種類の前記自己診断それぞれの少なくともいずれかに対応付けられた種類のデータのすべてを、対応付けられた期間のうちの最長の期間の分だけ取得する、請求項１に記載の厚み測定装置。
【発明の詳細な説明】
【技術分野】
【０００１】
本発明の実施形態は、厚み測定装置に関する。
【背景技術】
【０００２】
従来から、例えば、様々な鋼板の製造ラインにおいて、測定対象物である鋼板の板厚を、放射線（Ｘ線等）を用いて測定する厚み測定装置がある。
【０００３】
また、厚み測定装置には、自装置の異常について診断する自己診断機能が搭載されている場合がある。厚み測定装置に異常が発生した場合、ユーザは、厚み測定装置のメーカに、厚み測定装置の異常発生を伝えるとともに、自己診断結果等のデータを提供することが望ましい。
【先行技術文献】
【特許文献】
【０００４】
【特許文献１】特許第６５８５３２５号公報
【特許文献２】特開２００８−２６０４３号公報
【特許文献３】特開２００８−９３０５４号公報
【発明の概要】
【発明が解決しようとする課題】
【０００５】
しかしながら、厚み測定装置に異常が発生した場合にユーザがメーカに提供すべきデータとしての自己診断コード、板厚測定データ、データログなどは別々に管理されている。したがって、ユーザがメーカにとって必要なすべてのデータを見つけて保存等してメーカに提供するのは容易ではない。
【０００６】
そこで、本発明の実施形態の課題は、自己診断の実行後にユーザからメーカに提供すべき一連のデータを集約することができる厚み測定装置を提供することである。
【課題を解決するための手段】
【０００７】
実施形態の厚み測定装置は、測定対象物に放射線を放射する放射線源と、前記放射線源から放射され前記測定対象物を透過した前記放射線を検出し、放射線検出信号を出力する検出部と、前記検出部によって出力された前記放射線検出信号に基づいて前記測定対象物の厚みを測定する測定部と、自装置の異常について診断する複数種類の自己診断の少なくともいずれかを実行する自己診断部と、前記測定部による測定結果と前記自己診断部による自己診断結果を含む測定関係情報を記憶するとともに、複数種類の前記自己診断それぞれに対して、取得するデータの種類と期間とが対応付けられた対応情報を記憶する記憶部と、前記自己診断部によって前記自己診断が実行された場合に、前記対応情報を参照し、当該自己診断に対応づけられた種類のデータを対応付けられた期間の分だけ前記記憶部に記憶されている前記測定関係情報から取得する取得部と、前記取得部によって取得されたデータを集約したファイルデータを生成する集約部と、を備える。
【図面の簡単な説明】
【０００８】
【図１】図１は、実施形態の厚み測定装置の全体構成の例を示す概略図である。
【図２】図２は、実施形態の制御装置の機能構成の例を示すブロック図である。
【図３】図３は、実施形態の操作用ＰＣの機能構成の例を示すブロック図である。
【図４】図４は、実施形態の対応情報の例を示す図である。
【図５】図５は、実施形態の自己診断結果データの一部を示す図である。
【図６】図６は、実施形態の厚み測定装置におけるファイルデータの作成を模式的に示す図である。
【図７】図７は、実施形態の厚み測定装置における自己診断履歴の表示画面の例を示す図である。
【図８】図８は、実施形態の厚み測定装置における自己診断時の処理を示すフローチャートである。
【発明を実施するための形態】
【０００９】
以下、本発明の厚み測定装置の実施形態について、図面を参照して説明する。図１は、実施形態の厚み測定装置１の全体構成の例を示す概略図である。厚み測定装置１は、厚み測定部２によって測定対象物６（例えば鋼板）の厚みを測定したり、制御装置３によって厚み測定部２の自己診断を制御したりする。
【００１０】
厚み測定装置１は、２台の厚み測定部２と、制御装置３と、操作用ＰＣ４と、を備える。なお、厚み測定部２は、２台に限定されず、１台や３台以上であってもよい。
【００１１】
厚み測定部２は、主な構成として、Ｘ線発生器２１（放射線源）と、検出器２２（検出部）と、Ｘ線コントローラ２３（測定部）と、を備える。Ｘ線発生器２１は、測定対象物６にＸ線（放射線）を放射する。
【００１２】
検出器２２は、測定対象物６を挟んでＸ線発生器２１と対向する位置に配置されており、Ｘ線発生器２１から放射され測定対象物６を透過したＸ線を検出し、放射線検出信号を出力する。
【００１３】
Ｘ線コントローラ２３は、検出器２２によって出力された放射線検出信号に基づいて測定対象物６の厚みを測定する。つまり、Ｘ線が測定対象物６を透過する際に減衰する原理を利用し、測定対象物６の厚みを測定できる。Ｘ線コントローラ２３は、厚み測定部２の制御全般を司り、例えば、ＣＰＵ（Central  Processing  Unit）やＧＰＵ（Graphics  Processing  Unit）等のハードウェアプロセッサを備え、種々の演算処理を実行する。
【００１４】
また、Ｘ線コントローラ２３は、ＲＯＭ（Read  Only  Memory）、ＲＡＭ（Random  Access  Memory）、ＨＤＤ（Hard  Disk  Drive）等の記憶装置を備え、各種プログラム、各種設定データ、各種測定データ等を記憶する。なお、Ｘ線コントローラ２３の全部または一部は、ＡＳＩＣ（Application  Specific  Integrated  Circuit）やＦＰＧＡ（Field  Programmable  Gate  Array）などのハードウェアによって実現されてもよい。
【００１５】
制御装置３は、伝送路７で厚み測定部２と接続され、伝送路９で上位計算機５と接続される。また、操作用ＰＣ４は、伝送路８で制御装置３と接続される。なお、伝送路７、８は、例えば、厚み測定部２、制御装置３および操作用ＰＣ４を互いに情報送受信可能に接続するＬＡＮ（Local  Area  Network）等である。また、伝送路９は、例えば、制御装置３と上位計算機５をＴＣＰ／ＩＰ（Transmission  Control  Protocol  /Internet  Protocol）等の通信規格に従って情報送受信可能に接続するインターネット等のネットワークである。
【００１６】
以下、図２も併せて参照する。図２は、実施形態の制御装置３の機能構成の例を示すブロック図である。制御装置３は、処理部３１と、記憶部３２と、通信インタフェース３３と、を備える。
【００１７】
記憶部３２は、例えば、ＲＯＭ、ＲＡＭ、ＨＤＤ等の記憶装置を備え、各種情報を記憶する。記憶部３２は、例えば、測定データ３２１、ログデータ３２２、自己診断用データ３２３、自己診断結果データ３２４などを記憶する。なお、データ３２１〜３２４は測定関係情報である。
【００１８】
測定データ３２１は、厚み測定部２から取得した測定対象物６の厚みの測定結果のデータであり、測定時の日時情報を含む。
【００１９】
ログデータ３２２は、厚み測定装置１における通信ログや操作ログのデータである。ログデータ３２２は、例えば、図４の分類２データの通信ログに対応する。
【００２０】
自己診断用データ３２３は、自己診断のための各種データである。
【００２１】
自己診断結果データ３２４は、自己診断部３１３によって実行された自己診断の結果のデータである。
【００２２】
処理部３１は、制御装置３の制御全般を司り、例えば、ＣＰＵやＧＰＵ等のハードウェアプロセッサを備え、種々の演算処理を実行する。なお、処理部３１の全部または一部は、ＡＳＩＣやＦＰＧＡなどのハードウェアによって実現されてもよい。処理部３１は、機能構成として、取得部３１１と、測定制御部３１２と、自己診断部３１３と、を備える。
【００２３】
取得部３１１は、厚み測定部２、操作用ＰＣ４、上位計算機５から各種情報を取得する。取得部３１１は、例えば、厚み測定部２から測定データを取得して記憶部３２の測定データ３２１として記憶させる。また。取得部３１１は、例えば、自己診断部３１３によって厚み測定部２の自己診断が実行（制御）された場合に、厚み測定部２から自己診断結果データを取得し、記憶部３２の自己診断結果データ３２４として記憶させる。
【００２４】
測定制御部３１２は、厚み測定部２による測定対象物６の厚みの測定の動作を制御する。また、測定制御部３１２は、厚み測定装置１の異常や自己診断の実行の必要の有無を所定のアルゴリズムに基づいて判定する。
【００２５】
自己診断部３１３は、測定制御部３１２によって厚み測定装置１の自己診断の実行の必要があると判定された場合に、該当する自己診断を実行（制御）する。
【００２６】
通信インタフェース３３は、２つの厚み測定部２、操作用ＰＣ、上位計算機５と通信するためのインタフェースである。なお、通信インタフェース３３は、例えば、通信対象の数だけ設けられるが、図２では図示を簡潔にするために１つだけ示している。
【００２７】
次に、図３を参照して、操作用ＰＣ４について説明する。図３は、実施形態の操作用ＰＣ４の機能構成の例を示すブロック図である。操作用ＰＣ４は、厚み測定部２のユーザ（メンテナンス担当者等を含む。）がログデータ３２２を確認したりデータ収集を行ったりするために使用するコンピュータ装置である。操作用ＰＣ４は、例えば、ＨＭＩ（Human  Machine  Interface）である。
【００２８】
操作用ＰＣ４は、処理部４１と、記憶部４２と、表示部４３と、入力部４４と、入出力インタフェース４５と、通信インタフェース４６と、を備える。
【００２９】
記憶部４２は、例えば、ＲＯＭ、ＲＡＭ、ＨＤＤ等の記憶装置を備え、各種情報を記憶する。記憶部４２は、例えば、制御装置３から取得したデータや、対応情報４２１や、集約部４１２が生成したファイルデータ４２２等を記憶する。
【００３０】
図４は、実施形態の対応情報４２１の例を示す図である。対応情報４２１は、厚み測定部２の異常について診断する複数種類の自己診断（図４の自己診断名）それぞれに対して、取得するデータの種類（図４の分類１データ、分類２データ）と期間（図４の必要データ期間）とが対応付けられた情報である。
【００３１】
図４に示すように、対応情報４２１における情報は、左から順に、自己診断名、日時、分類１データ（ステータスデータ（自己診断実行時））、分類２データ（集める必要のあるデータ）、必要データ期間である。
【００３２】
自己診断名は、複数種類の自己診断のうちの実行した自己診断の名称である。自己診断名として、ここでは、全校正要求、全校正データ長期変動大、Ｅｔｈｅｒｎｅｔ（登録商標）通信異常を示している。日時は、自己診断を実行した日付と時間の情報である。
【００３３】
分類１データは、自己診断実行時のステータスデータであり、例えば、自己診断結果データ３２４に記憶される。分類１データとして、ここでは、Ｄａｔａ１〜４を示している。Ｄａｔａ１〜４の内容は、自己診断名に応じて異なる。例えば、自己診断名が全校正要求の場合、Ｄａｔａ１は校正点板厚（単位はμｍ）であり、自己診断実行時に測定した板厚を示す。また、Ｄａｔａ２は校正点測定時のドリフト量（単位はμｍ）である。
【００３４】
また、自己診断名が全校正データ長期変動大の場合、Ｄａｔａ１とＤａｔａ２は、自己診断名が全校正要求のときと同様である。Ｄａｔａ３は、前回の全校正実施からの時間間隔である全校正時間間隔（単位は分）である。
【００３５】
また、自己診断名がＥｔｈｅｒｎｅｔ通信異常の場合、Ｄａｔａ１は実行中処理区分であり、例えば「Ｓｅｎｄ」であれば制御装置３から上位計算機５への送信処理において異常が発生したことを示す。
【００３６】
分類２データは、ファイルデータ４２２（図３）を作成するために集める必要のあるデータ、つまり、自己診断結果を分析するために必要なデータであり、元は厚み測定部２に保存されているデータである。分類２データとして、ここでは、自己診断履歴、スタートアップデータ、全校正データ、基準線量履歴、通信ログを示している。それらのうち、例えば、自己診断履歴、スタートアップデータ、全校正データ、基準線量履歴は自己診断結果データ３２４に記憶され、通信ログはログデータ３２２に記憶される。
【００３７】
自己診断履歴は、発生した自己診断のリストと詳細である。スタートアップデータは、最初からの全校正データ、または、厚み測定部２の一部（Ｘ線発生器２１、検出器２２等）を交換した後の最初の全校正データである。スタートアップデータは、厚み測定部２で板厚測定を行うために用いる検量線作成に必要なデータであり、各校正点板厚における測定値である。また、スタートアップデータの収集は厚み測定部２の初回立ち上げ時や、主要部品交換時に行う。
【００３８】
全校正データは、スタートアップデータと同種のデータであるが、測定中のドリフト量をキャンセルするために数時間毎に行う校正でのデータである。通信ログは、制御装置３と上位計算機５の間の通信データの履歴である。
【００３９】
例えば、自己診断名が全校正データ長期変動大の場合、分類１データのステータスデータ（Ｄａｔａ１、Ｄａｔａ２、Ｄａｔａ３）に加え、分類２データとしての自己診断履歴、スタートアップデータ、全校正データ、基準線量履歴が必要なデータである。
【００４０】
必要データ期間は、実行された自己診断に対して予め定義された、データを集める対象の期間である。具体的には、必要データ期間は、分類２データをいつまで遡って収集する必要があるか（つまり、厚み測定部２の異常を究明するためにどれだけ前までのデータを見たいか）を定義したものである。例えば、自己診断名が全校正要求の場合、必要データ期間は自己診断が発生した時から１週間前までである。また、自己診断名が全校正データ長期変動大の場合、必要データ期間は自己診断が発生した時から＜ＤＡＴＡ３＞前まである。また、自己診断名がＥｔｈｅｒｎｅｔ通信異常の場合、必要データ期間は自己診断が発生した時からリミット（収集できる限界）まである。
【００４１】
図５は、実施形態の自己診断結果データ３２４の一部を示す図である。図５に示すように、ここでは、自己診断結果データ３２４として、日時ごとに、校正点板厚（μｍ）、校正点測定時のドリフト量（μｍ）、全校正時間間隔（分）が保存されている。
【００４２】
これらのうち、例えば、校正点板厚（μｍ）は、自己診断名が全校正要求の場合と全校正データ長期変動大の場合におけるＤａｔａ１（図４）のデータである。
【００４３】
また、校正点測定時のドリフト量（単位はμｍ）は、自己診断名が全校正要求の場合と全校正データ長期変動大の場合におけるＤａｔａ２のデータである。
【００４４】
また、全校正時間間隔（分）は、自己診断名が全校正データ長期変動大の場合におけるＤａｔａ３のデータである。
【００４５】
図３に戻り、処理部４１は、操作用ＰＣ４の制御全般を司り、例えば、ＣＰＵやＧＰＵ等のハードウェアプロセッサを備え、種々の演算処理を実行する。なお、処理部４１の全部または一部は、ＡＳＩＣやＦＰＧＡを含む回路等のハードウェアによって実現されてもよい。処理部４１は、機能構成として、取得部４１１と、集約部４１２と、表示制御部４１３と、入出力制御部４１４と、を備える。
【００４６】
取得部４１１は、制御装置３から各種情報を取得する。取得部４１１は、例えば、制御装置３の自己診断部３１３によって厚み測定部２の自己診断が実行（制御）された場合に、記憶部４２に記憶された対応情報４２１を参照し、当該自己診断（図４の自己診断名）に対応づけられた種類（図４の分類１データ、分類２データ）のデータを、対応付けられた期間（図４の必要データ期間）の分だけ、制御装置３の記憶部３２から取得する。
【００４７】
例えば、自己診断部３１３によって全校正要求（図４の自己診断名）の自己診断が実行された場合に、取得部４１１は、対応情報４２１を参照し、対応づけられた種類のデータとして図４の分類１データにおけるＤＡＴＡ１と、図４のＤＡＴＡ２のデータと分類２データの自己診断履歴、スタートアップデータ、全校正データ、基準線量履歴（図４で丸印の付いているデータ）のデータを、対応付けられた期間として図４の必要データ期間に示されている「発生した時から、１週間前まで」の分だけ、制御装置３の記憶部３２から取得する。
【００４８】
また、取得部４１１は、自己診断部３１３が複数種類の自己診断を実行する場合に、複数種類の自己診断それぞれの少なくともいずれかに対応付けられた種類のデータのすべてを、対応付けられた期間のうちの最長の期間の分だけ取得するようにしてもよい。そうすれば、メーカにとって必要なデータをより確実に取得することができる。
【００４９】
集約部４１２は、取得部４１１によって取得されたデータを集約したファイルデータ４２２を生成し、例えば、記憶部４２に保存する。
【００５０】
表示制御部４１３は、表示部４３に各種情報を表示させる。表示制御部４１３は、表示部４３に、例えば、ファイルデータ４２２のうちの少なくとも一部のデータを表示する。また、表示制御部４１３は、例えば、表示部４３に、自己診断結果などのデータに加えて、ファイルデータ４２２のうちの少なくとも一部のデータを外部記憶装置に保存させるための操作ボタン（図７の保存ボタンＢ１）を表示させる。
【００５１】
入出力制御部４１４は、入出力インタフェース４５を用いたデータの入出力を制御する。
【００５２】
表示部４３は、情報を表示する手段であり、例えば、ＬＣＤ（Liquid  Crystal  Display）、タッチパネル等である。
【００５３】
入力部４４は、ユーザが情報を入力するための手段であり、例えば、キーボード、マウス、タッチパネル等である。
【００５４】
入出力インタフェース４５は、ＵＳＢ（Universal  Serial  Bus）メモリスティック等の外部記憶装置に対して情報を入出力するためのインタフェースである。
【００５５】
通信インタフェース４６は、制御装置３と通信するためのインタフェースである。
【００５６】
次に、図６を参照して、ファイルデータ４２２の作成について説明する。図６は、実施形態の厚み測定装置１におけるファイルデータ４２２の作成を模式的に示す図である。図６の例では、自己診断名が全校正データ長期変動大の自己診断を実行した際に収集するデータの期間として、自己診断が発生した時から、＜ＤＡＴＡ３＞前までとして、前回全校正を行った１７５６分前までが定義されている。操作用ＰＣ４の取得部４１１は、その自己診断の発生後に、対応情報４２１で必要と定義されている各データ（ＤＡＴＡ１、ＤＡＴＡ２、ＤＡＴＡ３、自己診断履歴、スタートアップデータ、全校正データ、基準線量履歴）を対象期間分だけ制御装置３の記憶部３２から取得し、集約部４１２がそれらのデータを集約したファイルデータ４２２を生成して記憶部４２に保存する。
【００５７】
次に、図７を参照して、自己診断履歴の表示画面の例について説明する。図７は、実施形態の厚み測定装置１における自己診断履歴の表示画面の例を示す図である。操作用ＰＣ４の表示制御部４１３は、ファイルデータ４２２のうちの少なくとも一部のデータ（ここでは自己診断履歴の一部）をユーザ操作に応じて選択し、表示部４３に、選択したデータ、および、選択したデータに基づいて生成した２次元コードを表示させる。
【００５８】
図７において、領域Ｒ２には、ファイルデータ４２２の一部としての自己診断履歴の一部が表示されている。また、領域Ｒ１には、領域Ｒ２に表示する自己診断履歴の切り替えボタンＧ１、Ｇ２、Ｓ１、Ｓ２が表示されている。
【００５９】
また、データ期間決定ボタンＢ２を操作すると、データの対象期間を入力するための画面が表示され、ユーザはその画面を用いてデータの対象期間を入力することができる。
【００６０】
また、保存ボタンＢ１を操作すると、例えば、集約部４１２によってそのときに画面表示されている情報が集約され、例えば、その集約された情報が入出力制御部４１４によって通信ポートＰに接続されている外部記憶装置（ＵＳＢメモリスティック等）に保存される。なお、保存ボタンＢ１を操作した場合に、画面表示されていない情報も併せて集約して外部記憶装置に保存してもよい。
【００６１】
また、２次元コード生成ボタンＢ３を操作すると、表示制御部４１３は、そのときに画面表示されている情報に基づいて２次元コードを生成し、領域Ｒ３に表示させる。２次元コードには、例えば、数値のみのデータであれば約７０００文字、英数字データであれば約４０００文字の情報を埋め込むことができる。
【００６２】
次に、図８を参照して、厚み測定装置１における自己診断時の処理について説明する。図８は、実施形態の厚み測定装置１における自己診断時の処理を示すフローチャートである。
【００６３】
制御装置３において、測定制御部３１２（図２）によって厚み測定装置１の自己診断の実行の必要があると判定された場合、ステップＳ１において、自己診断部３１３は、該当する自己診断を実行（制御）する。
【００６４】
次に、ステップＳ２において、操作用ＰＣ４の取得部４１１（図３）は、記憶部４２に記憶された対応情報４２１を参照し、自己診断に関するデータとして、当該自己診断（図４の自己診断名）に対応づけられた種類（図４の分類１データ、分類２データ）のデータを、対応付けられた期間（図４の必要データ期間）の分だけ、制御装置３の記憶部３２から取得する。
【００６５】
次に、ステップＳ３において、操作用ＰＣ４の集約部４１２（図３）は、ステップＳ２で取得されたデータを集約したファイルデータ４２２を生成し（図６）、例えば、記憶部４２に保存する。
【００６６】
次に、ステップＳ４において、操作用ＰＣ４の表示制御部４１３（図３）は、ユーザによる操作に応じて、表示部４３に、ステップＳ３で作成したファイルデータ４２２のうちの少なくとも一部のデータを表示する（図７）。
【００６７】
次に、ステップＳ５において、操作用ＰＣ４の表示制御部４１３（図３）は、２次元コード生成ボタンＢ３(図７)がユーザによって操作されたか否かを判定し、Ｙｅｓの場合はステップＳ６に進み、Ｎｏの場合はステップＳ７に進む。
【００６８】
ステップＳ６において、操作用ＰＣ４の表示制御部４１３（図３）は、そのときに画面表示されている情報に基づいて２次元コードを生成し、領域Ｒ３（図７）に表示させる。
【００６９】
ステップＳ７において、操作用ＰＣ４の表示制御部４１３（図３）は、ユーザによって表示終了の操作が行われたか否かを判定し、Ｙｅｓの場合は処理を終了し、Ｎｏの場合はステップＳ４に戻る。
【００７０】
このように、実施形態の厚み測定装置１によれば、厚み測定部２の自己診断を実行した場合に、当該自己診断に対応づけられた種類のデータを、対応付けられた期間の分だけ取得し、その取得されたデータを集約したファイルデータ４２２を生成することができる。つまり、厚み測定部２の自己診断の実行後にユーザからメーカに提供すべき一連のデータを集約することができる。そして、ユーザがメーカにそのファイルデータ４２２を渡すことによって、メーカは厚み測定部２の自己診断結果を分析するために必要なデータを取得することができる。
【００７１】
また、図７の保存ボタンＢ１によって、そのときに画面表示されている情報の保存を容易に実行できる。また、図７の２次元コード生成ボタンＢ３によって、画面表示されている情報に対応する２次元コードを生成し、領域Ｒ３に表示させることができる。これにより、例えば、ユーザは、この２次元コードを携帯電話（スマートフォン等）で撮影し、その撮影画面を厚み測定装置１のメーカの担当者に送信することができる。そうすれば、メーカの担当者は、その２次元コードに埋め込まれた情報を取得し、その情報を厚み測定部２の異常発生の原因究明等に活用することができる。
【００７２】
従来技術では、ユーザがメーカに自己診断に関するデータの一部しか送らない背景には、ユーザがメーカにとって必要なすべてのデータを見つけて保存等するのが容易でなかったことのほかに、以下の事情もある。例えば、厚み測定装置へのコンピュータウイルス汚染を防ぐことを目的として、厚み測定装置に対して、ＵＳＢメモリスティック等の外部記憶装置の接続やインターネットへの接続に関して制限を課している場合がある。
【００７３】
それらの制限があったとしても、本実施形態の厚み測定装置１によれば、上述の２次元コード表示によって、ユーザは、ＵＳＢメモリスティック等の外部記憶装置の接続やインターネットへの接続をすることなく、例えば、２次元コードを携帯電話等で撮影してその撮影画像をメーカに送ることで、メーカに必要な情報を容易に渡すことができる。
【００７４】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態は、発明の範囲や要旨に含まれるとともに、特許請求の範囲に記載された発明とその均等の範囲に含まれる。
【００７５】
例えば、ファイルデータ４２２の少なくとも一部を保存する外部記憶装置は、ＵＳＢメモリスティックに限定されず、ＣＤ-ＲＯＭ（Compact  Disc-Read  Only  Memory）等の他の外部記憶装置であってもよい。
【００７６】
また、図７に示す画面は、ファイルデータ４２２の作成後でなく、ファイルデータ４２２の作成前に表示してもよい。
【００７７】
また、制御装置３の記憶部３２に記憶されている測定データ３２１、ログデータ３２２、自己診断用データ３２３、自己診断結果データ３２４のうちの少なくとも一部を、操作用ＰＣ４側で記憶するようにしてもよい。
【００７８】
また、制御装置３と操作用ＰＣ４の機能を１つの情報処理装置で実現してもよい。
【符号の説明】
【００７９】
１…厚み測定装置、２…厚み測定部、３…制御装置、４…操作用ＰＣ、５…上位計算機、６…測定対象物、７、８、９…伝送路、２１…Ｘ線発生器、２２…検出器、２３…Ｘ線コントローラ、３１…処理部、３２…記憶部、４１…処理部、４２…記憶部、４３…表示部、４４…入力部、４５…入出力インタフェース、３１１…取得部、３１２…測定制御部、３１３…自己診断部、４１１…取得部、４１２…集約部、４１３…表示制御部、４１４…入出力制御部
【要約】
【課題】厚み測定装置において、自己診断の実行後にユーザからメーカに提供すべき一連のデータを集約する。
【解決手段】実施形態の厚み測定装置は、測定対象物に放射線を放射する放射線源と、放射線を検出する検出部と、測定対象物の厚みを測定する測定部と、複数種類の自己診断の少なくともいずれかを実行する自己診断部と、測定部による測定結果と自己診断部による自己診断結果を含む測定関係情報を記憶するとともに、複数種類の自己診断それぞれに対して、取得するデータの種類と期間とが対応付けられた対応情報を記憶する記憶部と、自己診断部によって自己診断が実行された場合に、対応情報を参照し、当該自己診断に対応づけられた種類のデータを対応付けられた期間の分だけ記憶部に記憶されている測定関係情報から取得する取得部と、取得部によって取得されたデータを集約したファイルデータを生成する集約部と、を備える。
【選択図】図８【図１】
0006983966.tif 000002
【図２】
0006983966.tif 000003
【図３】
0006983966.tif 000004
【図４】
0006983966.tif 000005
【図５】
0006983966.tif 000006
【図６】
0006983966.tif 000007
【図７】
0006983966.tif 000008
【図８】
0006983966.tif 000009